(57)【要約】【課題】お年寄り等が洋式便器に着座して小便する際に、便座と便器本体との間の隙間から尿が漏れないようにする。【解決手段】便器本体３と便座２との間に形成される隙間４から小便が飛散しないようにするための尿飛散防止具１であって、便座２の前部に取り付けられ、隙間４を遮るように垂下するシート状の遮蔽部１ａと、この遮蔽部１ａを便座２に取り付けるための取付部１ｂとからなる。【選択図】図２
0003120727.tif 000002
【実用新案登録請求の範囲】
【請求項１】
便器本体（３）と便座（２）との間に形成される隙間（４）から小便が飛散しないようにするための尿飛散防止具（１）であって、前記便座（２）の前部（２ａ）に取り付けられ、前記隙間（４）を遮るように垂下するシート状の遮蔽部（１ａ）と、この遮蔽部（１ａ）を前記便座（２）に取り付けるための取付部（１ｂ）とからなることを特徴とする尿飛散防止具。
【請求項２】
前記遮蔽部（１ａ）が、ポリエチレン製部材であることを特徴とする請求項１に記載の尿飛散防止具。
【請求項３】
前記取付部（１ｂ）が、前記便座（２）に対し着脱可能であることを特徴とする請求項１又は２に記載の尿飛散防止具。
【請求項４】
便器本体（３）と便座（２）との間に形成される隙間（４）から小便が飛散しないように、前記隙間（４）を遮るための尿飛散防止具（１）を備えており、この尿飛散防止具（１）が前記便座（２）の前部（２ａ）に垂下する遮蔽部（１ａ）を有することを特徴とする便座。
【考案の詳細な説明】
【技術分野】
【０００１】
本考案は、便器本体と便座との間から小便が漏れないようにするための尿飛散防止具及びそれを備えた便座に関するものである。
【背景技術】
【０００２】
一般的に、洋式の便器は、便座が便器本体に対して回転可能に備えられている。そして、便座の下面には、４つ程のクッション部材が所定の間隔を置いて設けられている。このクッション部材は、便座を便器本体に載置する際に、便座の便器本体に対する衝撃を和らげ、便座等の破損を防止するものである。しかし、このクッション部材によって、便座と便器本体との間に隙間が形成されるので、お年寄りや子供等が着座して小便する際、この隙間から尿を漏らし、便所や衣服を汚してしまうことがあった。
【考案の開示】
【考案が解決しようとする課題】
【０００３】
そこで、本考案が解決しようとする課題は、お年寄り等が洋式便器に着座して小便する際に、便座と便器本体との間の隙間から尿が漏れない尿飛散防止具及びそれを備えた便器を提供することにある。
【課題を解決するための手段】
【０００４】
前記した課題を解決するために、本考案に係る尿飛散防止具は、便器本体と便座との間に形成される隙間から小便が飛散しないようにするための尿飛散防止具であって、便座の前部に取り付けられ、隙間を遮るように垂下するシート状の遮蔽部と、この遮蔽部を便座に取り付けるための取付部とからなる。
【０００５】
好ましくは、遮蔽部が、ポリエチレン製部材である。更に好ましくは、取付部が、便座に対し着脱可能である。
【０００６】
本考案に係る尿飛散防止具を備えた便座は、便器本体と便座との間に形成される隙間から小便が飛散しないように、隙間を遮るための尿飛散防止具を備えており、この尿飛散防止具が便座の前部に垂下する遮蔽部を有する。
【考案の効果】
【０００７】
本考案に係る尿飛散防止具及びそれを備えた便器は、前記のような構成であるので、便器前部に垂下して取り付けられた遮蔽部によって、使用者の小便が遮蔽部に当たり、便座と便器本体との間の隙間から尿が漏れることなく、便所や衣服を汚すことがない。
【０００８】
更に、尿飛散防止具が、ポリエチレン製部材で構成されることにより、比較的廉価であるにも拘らず耐水性、耐久性に優れる。そして、取付部を、便座に対して着脱可能にすることにより、清潔に保つために使い捨てをすることができる。
【考案を実施するための最良の形態】
【０００９】
以下、添付図面に基づいて、本発明に係る尿飛散防止具及びそれを備えた便器について、詳細に説明する。
【００１０】
図１は、尿飛散防止具を取り付けた洋式便器を示す斜視図である。図２は、尿飛散防止具を取り付けた便器を示す側面図である。図３は、尿飛散防止具を示す斜視図であり、（ａ）は曲げる前の状態、（ｂ）は曲げた状態である。
図１において、符号１は尿飛散防止具である。洋式便器は、便座２が便器本体３に回転軸２１を介して軸支されている。これにより、便座２は、便器本体３に対して回転自在に構成されている。
【００１１】
便座２は、中央に大きな円状の開口部２ｂを備えており、略Ｏ状に形成されている。便座２は、４つのクッション部材２０が設けられている。このクッション部材２０は、便座２を便器本体３に載置する際に、衝撃を緩和して破損を防止するためのものである。便座２は、前部２ａに尿飛散防止具１が取り付けられている。この尿飛散防止具１は、便座２の開口部２ｂの前端に沿って、円弧状に取り付けられている。
【００１２】
図２（ａ）に示すように、便座２を便器本体３に載置した際、クッション部材２０が便器本体３に載るので、便座２と便器本体３との間に、クッション部材２０の高さ（５〜１０ｍｍ程度）だけ隙間４が形成される。図２（ｂ）に示すように、尿飛散防止具１は、便座２から垂下する遮蔽部１ａと、便座２に取り付けられる取付部１ｂとから構成されている。
【００１３】
図２の如く、便座２を便器本体３に載置した際に、尿飛散防止具１の遮蔽部１ａが隙間４を遮るように、少なくとも遮蔽部１ａの一部が便器本体３の内部に位置するようになっている。これにより、図２（ａ）に示すように、使用者５が便座２に着座して小便をするとき、尿５ａが尿飛散防止具１に当たるので、隙間４から飛散することがなく、便所や衣服を汚すことがない。
【００１４】
図３（ａ）に示すように、尿飛散防止具１は、短冊状のシート部材で構成されている。そして、尿飛散防止具１の上端に沿って、粘着テープ１０が設けられている。尿飛散防止具１を使用する際には、粘着テープ１０の剥離紙を剥離して、接着剤層を便座２に貼り付ける。そして、尿飛散防止具１の長さ方向の折り線１ｃ（二点鎖線で示す）に沿って折り、遮蔽部１ａを垂下させる。又、図３（ｂ）の如く、この尿飛散防止具１は、円弧状に曲げて便座２の裏面に取り付けるので、曲げ易いように、取付部１ｂに数箇所の切り込み１ｄが施されている。
【００１５】
本実施例では、尿飛散防止具１は、ポリエチレン樹脂によって構成されている。この尿飛散防止具１は、使い捨てし易く、防臭性、耐水性に優れた可撓性部材であればよく、塩化ビニールやアクリル、ポリプロピレン、プラスチック等の合成樹脂でもよい。
【００１６】
前記した実施例の外、尿飛散防止具１が便座２に対して一体に設けられていてもよい。又、尿飛散防止具１がシート状でなく、Ｌ字状やＴ字状の円弧状に形成されたプラスチック部材でもよい。
【図面の簡単な説明】
【００１７】
【図１】尿飛散防止具を取り付けた洋式便器を示す斜視図。
【図２】尿飛散防止具を取り付けた洋式便器を示す側面図。
【図３】尿飛散防止具を示す斜視図であり、（ａ）は曲げる前の状態、（ｂ）は曲げた状態。
【符号の説明】
【００１８】
１  尿飛散防止具
２  便座
３  便器本体
４  隙間
２ａ  便座の前部
１ａ  遮蔽部
１ｂ  取付部
【図１】
0003120727.tif 000003
【図２】
0003120727.tif 000004
【図３】
0003120727.tif 000005